(57)【特許請求の範囲】
【請求項１】
表示部と、
前記表示部と対向して配置され、短冊状の複数の第１電極と、前記第１電極と対向して配置される第２電極と、前記第１電極と前記第２電極との間に配置される液晶層と、を有し、前記表示部が表示する画像を複数の視点それぞれに向けた画像に分離する液晶可変バリアと、
を備え、
前記第１電極は、隣り合う前記第１電極の一部が絶縁層を介して重なり合って配置され、複数の前記第１電極によって開口部が形成され、
前記絶縁層は、前記隣り合う前記第１電極のうち前記絶縁層に対して前記液晶層とは反対側にある前記第１電極を、前記液晶層に露出させる開口を有する
表示装置。
【請求項２】
観察者を含む画像の解析結果から認識された視点位置に基づいて前記第１電極に印加する電圧が制御されることにより、前記開口部の位置は、前記視点位置をトラッキングする、請求項１に記載の表示装置。
【請求項３】
短冊状の複数の第１電極と、
前記第１電極と対向して配置される第２電極と、
前記第１電極と前記第２電極との間に配置される液晶層と、
を備え、
前記第１電極は、隣り合う前記第１電極の一部が絶縁層を介して重なり合って配置され、複数の前記第１電極により開口部が形成され、
前記絶縁層は、前記隣り合う前記第１電極のうち前記絶縁層に対して前記液晶層とは反対側にある前記第１電極を、前記液晶層に露出させる開口を有する
液晶可変バリア。
【発明の詳細な説明】
【技術分野】
【０００１】
本開示は、表示装置および液晶バリア素子に関する。
【背景技術】
【０００２】
複数の視点に向けた画像を、透過部を有するバリア素子によって空間的に分離し、それぞれの視点において異なる画像を観察することのできる表示装置が開発されている。このような表示装置に用いるバリア素子の一例として、液晶バリア素子が挙げられる。液晶バリア素子は、短冊状の複数の電極を有し、この電極に印加する電圧を制御することによってこの透過部の位置を変更することができるバリア素子である。
【０００３】
このような液晶バリア素子においては、電極間には電圧が印加されないため、遮光したい部分から光抜けが生じ、クロストークの原因となってしまうことがある。これに対して、例えば特許文献１には、電極間に相当する部分に黒色層を配置することによって光抜けを防止することのできるバリア素子が開示されている。
【先行技術文献】
【特許文献】
【０００４】
【特許文献１】特開２００９−５３６４５号公報
【発明の概要】
【発明が解決しようとする課題】
【０００５】
しかし、透過部の位置を高精度に制御するためには、電極を微細にパターニングして複数の電極で１つの透過部を形成することが考えられる。上記の黒色層は、電極への電圧の印加の有無に関わらず光を遮蔽する。このため複数の電極で１つの透過部を形成する構成には、黒色層を用いることができない。
上記事情に鑑みれば、複数の電極で１つの透過部を形成する液晶バリア素子において、電極間の光抜けを防止することのできる表示装置および液晶バリア素子を提供することが望ましい。
【課題を解決するための手段】
【０００６】
本開示によれば、表示部と、上記表示部と対向して配置され、短冊状の複数の第１電極と、上記第１電極と対向して配置される第２電極と、上記第１電極と上記第２電極との間に配置される液晶層と、を有し、上記表示部が表示する画像を複数の視点それぞれに向けた画像に分離する液晶可変バリアと、を有し、上記第１電極は、隣り合う上記第１電極の一部が絶縁層を介して重なり合って配置され、複数の上記第１電極によって開口部が形成される、表示装置が提供される。
【０００７】
また本開示によれば、短冊状の複数の第１電極と、上記第１電極と対向して配置される第２電極と、上記第１電極と上記第２電極との間に配置される液晶層と、備え、上記第１電極は、隣り合う上記第１電極の一部が絶縁層を介して重なり合って配置され、複数の上記第１電極により開口部が形成される、液晶可変バリアが提供される。
【発明の効果】
【０００８】
以上説明したように本開示によれば、複数の電極で１つの透過部を形成する液晶バリア素子において、電極間の光抜けを防止することのできる表示装置および液晶バリア素子を提供することができる。
【図面の簡単な説明】
【０００９】
【図１】本開示の一実施形態にかかる表示装置の構成例を示すブロック図である。
【図２】視差画像形成の方式の一例を示す説明図である。
【図３】同実施形態にかかる表示装置のノーマリーホワイトモードの液晶を用いたバリア部の構成を示す説明図である。
【図４】同実施形態にかかる表示装置のノーマリーブラックモードの液晶を用いたバリア部の構成を示す説明図である。
【図５】同実施形態にかかる表示装置のバリア部の電極配置の変形例を示す説明図である。
【図６Ａ】同実施形態にかかるバリア部の周辺配線の５層構造の例を示す上面図である。
【図６Ｂ】同実施形態にかかるバリア部の周辺配線の５層構造の例を示す上面図である。
【図７】同実施形態にかかるバリア部の周辺配線の５層構造の例を示す斜視図である。
【図８Ａ】同実施形態にかかるバリア部の周辺配線の３層構造の例を示す上面図である。
【図８Ｂ】同実施形態にかかるバリア部の周辺配線の３層構造の例を示す上面図である。
【図９】同実施形態にかかるバリア部の周辺配線の３層構造の例を示す斜視図である。
【図１０】同実施形態にかかる表示装置の効果を説明するための説明図である。
【図１１】同実施形態にかかる表示装置の効果を説明するための説明図である。
【図１２】同実施形態にかかる表示装置の効果を示す角度とクロストークの関係を示すグラフである。
【図１３】同実施形態にかかる表示装置についてフラウンフォーファー回折を計算するための各パラメータを説明する説明図である。
【図１４】同実施形態にかかる表示装置について算出されたフラウンフォーファー回折の値を規格化したグラフである。
【図１５】比較例としてのバリア部の電極配置を示す説明図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．表示装置の構成例
２．バリア部の構成例
３．周辺配線例
４．効果の例
【００１２】
＜１．表示装置の構成例＞
まず図１及び図２を参照しながら、本開示の一実施形態にかかる表示装置の構成の一例について説明する。図１は、本開示の一実施形態にかかる表示装置の構成例を示すブロック図である。図２は、視差画像形成の方式の一例を示す説明図である。
【００１３】
本開示の一実施形態にかかる表示装置１０００は、バリア部１０と、バリア制御部１５と、表示部２０と、表示制御部２５と、制御回路３０と、画像取得部４０とを主に有する。
【００１４】
表示装置１０００は、例えばテレビジョン、携帯電話（スマートフォン）、デジタルカメラ、パーソナルコンピュータ、ナビゲーション装置、ゲーム機器など、表示部２０にバリア部１０が重畳された何らかの機器である。
【００１５】
バリア部１０は、表示部２０と対向配置される。バリア部１０は、表示部２０の表示する画像を複数の視点画像に分離する機能を有する。バリア部１０は、液晶バリア素子であり、電極へ印加する電圧を制御することにより、液晶分子の配向を制御して光を透過させる透過部と、光を遮蔽する遮蔽部とを形成することができる。なおこの透過部は、バリア部１０のうち他の部分よりも光の透過率が高い部分を示す。バリア部１０は、バリア制御部１５の制御に従って電極に印加する電圧を制御することにより、透過部と遮蔽部の位置を変えることができる。
【００１６】
バリア制御部１５は、バリア部１０の動作を制御する機能を有する。バリア制御部１５は、制御回路３０からの指示に基づき、バリア部１０の電極に印加する電圧を制御することによって、バリア部１０の動作を制御することができる。なおバリア制御部１５は、表示部２０の表示を見る観察者の位置に応じてバリア部１０の電極に印加する電圧を制御することによって、バリア部１０中の透過部と遮蔽部との位置を制御することができる。
【００１７】
表示部２０は、画像を表示する表示装置である。表示部２０は、表示制御部２５の制御に従って動作する。例えば表示部２０は、液晶ディスプレイ（ＬＣＤ：Ｌｉｑｕｉｄ  Ｃｒｙｓｔａｌ  Ｄｉｓｐｌａｙ）装置、有機ＥＬディスプレイ（ＯＥＬＤ：Ｏｒｇａｎｉｃ  ＥｌｅｃｔｒｏＬｕｍｉｎｅｓｃｅｎｃｅ  Ｄｉｓｐｌａｙ）装置などの表示装置であってよい。表示部２０は、立体表示用の画像を表示することができる。
【００１８】
表示制御部２５は、表示部２０の動作を制御する機能を有する。表示制御部２５は、制御回路３０からの指示に基づき、表示部２０の表示画面に表示する内容を制御することができる。
【００１９】
制御回路３０は、例えばＣＰＵ（Central  Processing  Unit）、ＲＡＭ（Random  Access  Memory）、およびＲＯＭ（Read  Only  Memory）などによって構成され、表示装置１０００の各部を制御する。制御回路３０は、バリア制御部１５及び表示制御部２５を制御することにより、観察者に二次元表示または三次元表示の画像を提供することができる。例えば制御回路３０は、バリア部１０の全面が高い透過度を有するように制御するとともに、表示部２０が二次元表示用の画像を表示するように制御することによって、観察者に二次元表示の画面を提供することができる。また制御回路３０は、バリア部１０が透過部と遮蔽部とを有するように制御するとともに、表示部２０が三次元表示用の画像を表示するように制御することによって、観察者に三次元表示の画面を提供することができる。なお制御回路３０は、画像取得部４０の取得する画像に基づいて観察者の位置を認識し、観察者の位置に応じてバリア部１０の透過部と遮蔽部との位置をシフトさせることができる。
【００２０】
画像取得部４０は、観察者の位置を認識するための画像を取得する機能を有する。例えばこの画像を取得する撮像装置は、表示部２０の表示画面と対向する観察者を捉えることのできる位置に設置されることが望ましい。
【００２１】
なおバリア部１０と表示部２０との配置は、例えば図２の例１に示されるように、観察者側からバリア部１０、表示パネル２００、バックライト３００の順に積層された構成であってよい。なお表示部２０は表示パネル２００とバックライト３００とを含むものとする。またバリア部１０と表示部２０との配置は、例えば図２の例２に示されるように、観察者側から表示パネル２００、バリア部１０、バックライト３００の順に積層された構成であってもよい。いずれのタイプの表示装置に対しても、本技術を適用することができる。
【００２２】
＜２．バリア部の構成例＞
次に図３〜図５、及び図１５を参照しながら、本開示の一実施形態にかかる表示装置１０００のバリア部１０の構成について説明する。図３は、同実施形態にかかる表示装置のノーマリーホワイトモードの液晶を用いたバリア部の構成を示す説明図である。図４は、同実施形態にかかる表示装置のノーマリーブラックモードの液晶を用いたバリア部の構成を示す説明図である。図５は、同実施形態にかかる表示装置のバリア部の電極配置の変形例を示す説明図である。図１５は、比較例としてのバリア部の電極配置を示す説明図である。
【００２３】
図３を参照すると、バリア部１０は、第１基板１０１と、第１偏光板１０２と、第１電極１０３と、絶縁層１０４と、第２基板１０５と、第２電極１０７と、第２偏光板１１０とを主に有する。
【００２４】
第１基板１０１と第２基板１０５とは、可視光に対して透明な材料により形成される。例えば第１基板１０１及び第２基板１０５は、ガラス材料により形成されてよい。この第１基板１０１上には、短冊状の複数の第１電極１０３が形成される。第１電極１０３は、互いに間隔をあけて配置される。また第２基板１０５上には第２電極１０７がほぼ全面に一様に形成される。第１電極１０３と第２電極１０７とは、可視光に対して透明な導電膜である。例えば可視光に対して透明な導電膜の一例としては、ＩＴＯ膜（Ｉｎｄｉｕｍ  Ｔｉｎ  Ｏｘｉｄｅ）が挙げられる。
【００２５】
液晶層１０９は、第１電極１０３と第２電極１０７との間に形成される。液晶層１０９は、複数の液晶分子を含む。この液晶分子は、第１電極１０３と第２電極１０７との間に印加される電圧に応じて、配向が変化する。この配向によって光に対する液晶層１０９の位相差が変化し、その部分の透過度が変化する。第１電極１０３に印加される電圧は、短冊状の第１電極１０３それぞれ個別に制御される。また第１電極１０３の上部の液晶層１０９の配向が変化するため、液晶層１０９の透過度は、第１電極１０３の幅ごとに切り替えられる。したがって第１電極１０３を微細にパターニングするほど、細かく透過部及び遮蔽部の位置を制御することができる。なお本実施形態においては、バリア部１０は、ヘッドトラック型の表示装置に用いられる。このとき透過部と遮蔽部との位置を細かく制御することができることによって、よりスムーズに観察者の視点位置に追従することができる。
【００２６】
ここで第１電極１０３は、短冊状の複数の電極であり、隣り合う第１電極の一部が絶縁層１０４を介して重なり合って配置される。ここでノーマリーホワイトモードのバリア部１０ａについて、第１電極１０３を図３の左から上層下層交互に第１電極１０３−１、第１電極１０３−２、・・・第１得電極１０３−１０とする。図３の状態１に示されるように、第１電極１０３−１〜第１電極１０３−４、第１電極１０３−９、及び第１電極１０３−１０の印加電圧が５Ｖであり、第１電極１０３−５〜第１電極１０３−８の印加電圧が０Ｖであるとき、第１電極１０３−１〜第１電極１０３−４、第１電極１０３−９、及び第１電極１０３−１０の上部の液晶層１０９は光の透過度が低い配向状態となり、第１電極１０３−５〜第１電極１０３−８の上部の液晶層１０９は、光の透過度が高い配向状態となる。このため、第１電極１０３−５〜第１電極１０３−８に相当する部分が開口部を形成する。
【００２７】
また図３の状態２においては、第１電極１０３−１、第１電極１０３−２、及び第１電極１０３−７〜第１電極１０３−１０の印加電圧が５Ｖであり、第１電極１０３−３〜第１電極１０３−６の印加電圧は０Ｖである。このとき第１電極１０３−１、第１電極１０３−２、及び第１電極１０３−７〜第１電極１０３−１０の上部の液晶層１０９は光の透過度が低い配向状態となり、第１電極１０３−３〜第１電極１０３−６の上部の液晶層１０９は、光の透過度が高い配向状態となる。このため、第１電極１０３−３〜第１電極１０３−６に相当する部分が開口部を形成する。このとき、第１電極１０３は、隣り合う第１電極１０３同士が上下に重なり合って配置されている。このため電極間に電圧が印加されるため、電極間の光抜けを防止することができる。
【００２８】
ここで従来下部電極間において生じていた光抜けの現象について説明するために、図１５を参照する。バリア部９０は、第１基板９０１と、第１偏光板９０２と、第１電極９０３と、第２基板９０５と、第２電極９０７と、液晶層９０９と、第２偏光板９１０とを主に有する。ここで、第１電極９０３以外の構成である、第１基板９０１と、第１偏光板９０２と、第２基板９０５と、第２電極９０７と、液晶層９０９と、第２偏光板９１０については、上記の、第１基板１０１と、第１偏光板１０２と、第２基板１０５と、第２電極１０７と、第２偏光板１１０と同様の機能を有するためここでは説明を省略する。
【００２９】
短冊状の複数の第１電極９０３は、互いに隔離されて並んで配置される。ここで図１５において左から順に第１電極９０３−１〜第１電極９０３−１０とする。例えば図１５の状態１においては、第１電極９０３−１〜第１電極９０３−４、第１電極９０３−９、及び第１電極９０３−１０に印加される電圧は５Ｖであり、第１電極９０３−５〜第１電極９０３−８に印加される電圧は０Ｖである。このとき第１電極９０３−１〜第１電極９０３−４、第１電極９０３−９、及び第１電極９０３−１０の上部の液晶層９０９は、光の透過度が低い配向状態となり、第１電極９０３−５〜第１電極９０３−８の上部の液晶層９０９は、光の透過度が高い配向状態となる。このため、第１電極９０３−５〜第１電極９０３−８に相当する部分が開口部を形成する。ところが、このノーマリーホワイトモードのバリア部９０によれば、隣り合う第１電極９０３間には電圧が印加されない。このため、遮光したい部分である第１電極９０３−１〜第１電極９０３−４、第１電極９０３−９、及び第１電極９０３−１０の上部であっても、電極間に相当する部分からは光が抜けてしまう。
【００３０】
また図１５の状態２においては、第１電極９０３−１、第１電極９０３−２、及び第１電極９０３−７〜第１電極９０３−１０に印加される電圧は５Ｖであり、第１電極９０３−３〜第１電極９０３−６に印加される電圧は０Ｖである。このとき第１電極９０３−１、第１電極９０３−２、及び第１電極９０３−７〜第１電極９０３−１０の上部の液晶層９０９は、光の透過度が低い配向状態となり、第１電極９０３−３〜第１電極９０３−６の上部は光の透過度が高い配向状態となる。このため第１電極９０３−３〜第１電極９０３−６に相当する部分が開口部を形成する。ところがこの場合においても、このノーマリーホワイトモードのバリア部９０によれば、隣り合う第１電極９０３間には電圧が印加されない。このため、遮光したい部分である第１電極９０３−１、第１電極９０３−２、及び第１電極９０３−７〜第１電極９０３−１０の上部であっても、電極間に相当する部分からは光が抜けてしまう。
【００３１】
そこで本開示の一実施形態にかかるバリア部１０は、隣り合う第１電極１０３の一部が絶縁層を介して重なり合うように配置される。かかる構成により、隣り合う電極間にも電圧が印加されるため、電極間における光抜けを低減させることができる。
【００３２】
なお、図３において第１電極１０３は、第１電極１０３−１、第１電極１０３−３、第１電極１０３−５、第１電極１０３−７、及び第１電極１０３−９が形成される第１層と、第１電極１０３−２、第１電極１０３−４、第１電極１０３−６、第１電極１０３−８、及び第１電極１０３−１０が形成される第２層とに分かれて形成される。この第１層から液晶層１０９までは絶縁層１０４が介される。これに対して第２層の第１電極１０３と液晶層１０９までには他の層は介されない。そこで、第１層の第１電極１０３と第２層の第１電極１０３とに同じ値の電圧を加えると、液晶層１０９に加えられる電圧値は絶縁層を介した分だけ降下してしまう。このため、第１層の第１電極１０３には、第２層の第１電極１０３よりも高い値の電圧が印加されてよい。
【００３３】
また本技術はノーマリーホワイトモードだけでなくノーマリーブラックモードのバリア素子にも適用することができる。図４にはノーマリーブラックモードのバリア部１０ｂが示される。図４の状態１に示されるように、第１電極１０３−１〜第１電極１０３−４、第１電極１０３−９、及び第１電極１０３−１０の印加電圧が０Ｖであり、第１電極１０３−５〜第１電極１０３−８の印加電圧が５Ｖであるとき、第１電極１０３−１〜第１電極１０３−４、第１電極１０３−９、及び第１電極１０３−１０の上部の液晶層１０９は光の透過度が低い配向状態となり、第１電極１０３−５〜第１電極１０３−８の上部の液晶層１０９は、光の透過度が高い配向状態となる。このため、第１電極１０３−５〜第１電極１０３−８に相当する部分が開口部を形成する。
【００３４】
また図４の状態２においては、第１電極１０３−１、第１電極１０３−２、及び第１電極１０３−７〜第１電極１０３−１０の印加電圧が０Ｖであり、第１電極１０３−３〜第１電極１０３−６の印加電圧は５Ｖである。このとき第１電極１０３−１、第１電極１０３−２、及び第１電極１０３−７〜第１電極１０３−１０の上部の液晶層１０９は光の透過度が低い配向状態となり、第１電極１０３−３〜第１電極１０３−６の上部の液晶層１０９は、光の透過度が高い配向状態となる。このため、第１電極１０３−３〜第１電極１０３−６に相当する部分が開口部を形成する。このとき、第１電極１０３は、隣り合う第１電極１０３同士が上下に重なり合って配置されている。このため電極間に電圧が印加されるため、電極間の光抜けを防止することができる。
【００３５】
なお、上記の図３及び図４では、第１層の第１電極１０３が液晶層１０９から見て全面絶縁層１０４に覆われている。これに対して、図５には第１電極１０３の構成の変形例が示される。このような構成により全ての第１電極１０３が液晶層１０９に面するため、液晶層１０９に印加される電界が均一となる効果を奏することができる。
【００３６】
なおこのようなバリア部１０の第１電極１０３に印加される電圧は、観察者を含む画像の解析結果から認識された視点位置に基づいて、開口部が視点位置をトラッキングするように制御される。かかる構成により、表示装置１０００は、いわゆるヘッドトラッキング型の立体表示装置として機能することができる。
【００３７】
＜３．周辺配線例＞
次に図６〜図９を参照しながら、本開示の一実施形態にかかるバリア部１０の第１電極１０３に印加される電圧を制御するための周辺配線例について説明する。図６Ａ及び図６Ｂは、同実施形態にかかるバリア部の周辺配線の５層構造の例を示す上面図である。図７は、同実施形態にかかるバリア部の周辺配線の５層構造の例を示す斜視図である。図８Ａ及び図８Ｂは、同実施形態にかかるバリア部の周辺配線の３層構造の例を示す上面図である。図９は、同実施形態にかかるバリア部の周辺配線の３層構造の例を示す斜視図である。
【００３８】
まず図６Ａを参照すると、１０本の配線と電極とが直交配置されている。そして配線と電極との間にコンタクトが設けられる。かかる構成により、例えば配線１に５Ｖの電圧を印加したときには、この配線１とコンタクトが設けられた電極に電圧が印加される。例えば図６Ａには、配線１−５に５Ｖの電圧が印加された状態１が示される。このとき配線１−５とコンタクトが設けられた電極には５Ｖの電圧が印加される。また図６Ｂに示される状態２では、配線３−７に５Ｖの電圧が印加される。このとき配線３−７とコンタクトが設けられた電極には５Ｖの電圧が印加される。このようにして、電圧を印加する配線を選択することによって、電圧を印加する電極を選択することができ、開口部の位置が制御される。
【００３９】
図７にはこのような周辺配線の積層構造を示す斜視図が示される。このバリア部１０は、第１電極１０３が２つの層に設けられ、一方の層に設けられる第１電極１０３をここでは透明電極αと称する。またもう一方の層に設けられる第１電極１０３をここでは透明電極βと称する。このとき、配線レイヤ、絶縁膜、透明電極α、絶縁膜、透明電極βの順に積層された５層構造が用いられる。このとき透明電極αと透明電極βとが交互に設けられ、その一部が重なり合って配置される。
【００４０】
次に図８Ａを参照すると、３層構造の周辺配線例が示される。このとき透明電極が配線として用いられる。このためパネルの両側からコンタクトがとられる。例えば図８Ａに示される状態１においては、横向きに配置された電極１−１０のうち、電極１−３，９，１０に５Ｖの電圧が印加されている。このとき、縦に配置された電極のうち、この電極１−３，９，１０とコンタクトが設けられた電極には５Ｖの電圧が印加される。なおここで縦向きに配置される電極は、交互に異なる層に設けられる。そして、横向きの電極１−５とコンタクトを有さない電極が電極１−５と同じ層に設けられる。また横向きの電極１−５とコンタクトを有する縦向きの電極は、電極６−１０と同じ層に設けられる。こうしてこの周辺配線例は、絶縁膜が設けられる層を含む３層構造である。また図８Ｂに示される状態２においては、横向きに配置された電極１−１０のうち、電極２−４，８，９に５Ｖの電圧が印加されている。このとき、縦に配置された電極のうち、この電極２−４，８．９とコンタクトを有する電極には５Ｖの電圧が印加される。
【００４１】
図９にはこのような周辺配線の積層構造を示す斜視図が示される。このバリア部１０は、第１電極１０３が２つの層に設けられ、一方の層に設けられる第１電極をここでは透明電極αと称する。またもう一方の層に設けられる第１電極１０３をここでは透明電極βと称する。また透明電極α及び透明電極βは、配線としても用いられる。透明電極αと透明電極βとのうち、バリア部１０の透過部と遮蔽部とを形成する部分においては、透明電極αと透明電極βとは一部が重なりあって交互に設けられる。
【００４２】
＜４．効果の例＞
ここで図１０〜図１４を参照しながら本開示の一実施形態にかかる表示装置１０００の効果の例について説明する。図１０は、同実施形態にかかる表示装置の効果を説明するための説明図である。図１１は、同実施形態にかかる表示装置の効果を説明するための説明図である。図１２は、同実施形態にかかる表示装置の効果を示す角度とクロストークの関係を示すグラフである。図１３は、同実施形態にかかる表示装置についてフラウンフォーファー回折を計算するための各パラメータを説明する説明図である。図１４は、同実施形態にかかる表示装置について算出されたフラウンフォーファー回折の値を規格化したグラフである。
【００４３】
ここでは図１０に示されるように、右眼と左眼との間の中心からスクリーンに対しておろした垂線と、上記垂線とスクリーンとの接点と右眼とを結ぶ線とのなす角度をθ１とする。また上記接点と左眼とを結ぶ線と上記垂線とのなす角度をθ２とする。
【００４４】
このとき、図１１に示されるように、表示装置１０００からの画像光の輝度は、角度θがθ１及びθ２のときのピークを示す。ここで、クロストークは、右眼に到達すべき光Ｒの輝度ａ１と左目に到達すべき光Ｌの輝度ａ２との比率で示される。例えば角度θが正の値であるときには、クロストークは、ａ２／ａ１で表される。また角度θが負の値であるときには、クロストークは、ａ１／ａ２で表される。このクロストークの値が図１２に示される。ここでは、本実施形態にかかる表示装置において電極間の重ねを設けた場合と、比較例として電極間の重ねがない場合のクロストークが示される。図１２を参照すると、本実施形態にかかる表示装置の方が、比較例にかかる表示装置と比較してクロストークが改善されることがわかる。
【００４５】
また図１３に示されるように、電極間の隙間をＤとし、スクリーンまでの距離をＲとし、光の波長をλとしてスクリーン上の点Ｐにおけるフラウンフォーファー回折を算出する。このとき算出された値を規格化した値が図１４に示される。電極間に隙間がある場合には、スクリーン上においてここで示される振幅の電場が生じる。本実施形態によれば、このような不要な光を低減することができる。
【００４６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４７】
なお、図面及び上記の説明中においては、本開示の技術的内容を理解するために必要な点について主に示した。このため、図面中においては、必ずしも全ての構成を示しているとは限らない。図面中に示された以外の構成が含まれることもある。また、図面中において示した構成要素の厚み又は大きさについては、必ずしも正しい比率で描かれているとは限らない。
【００４８】
また上記実施形態では、液晶バリアを用いた表示装置が立体表示装置であることとしたが、本技術の適用範囲はかかる例に限定されない。例えば液晶バリアを用いた表示装置は立体表示装置に限らず、複数の視点に画像を分離して提供する表示装置全般に適用されてよい。立体表示装置は、２つの画像を一人の観察者の右眼と左眼とにそれぞれ提供することにより立体画像と認識させるが、分割した画像は、複数の観察者に提供されてもよい。このような表示装置によれば、複数の観察者にそれぞれ異なる画像を提供することができる。例えばこのような表示装置は、ナビゲーション装置に適用されてもよい。このナビゲーション装置は、運転席に座る観察者と助手席に座る観察者とにそれぞれ異なる画像を提供することができる。
【００４９】
なお、以下のような構成も本開示の技術的範囲に属する。
（１）
表示部と、
前記表示部と対向して配置され、短冊状の複数の第１電極と、前記第１電極と対向して配置される第２電極と、前記第１電極と前記第２電極との間に配置される液晶層と、を有し、前記表示部が表示する画像を複数の視点それぞれに向けた画像に分離する液晶可変バリアと、
を備え、
前記第１電極は、隣り合う前記第１電極の一部が絶縁層を介して重なり合って配置され、複数の前記第１電極によって開口部が形成される、
表示装置。
（２）
複数の前記第１電極は、第１層と第２層とに交互に形成され、
前記第１層と前記液晶層との間の距離は、前記第２層と前記液晶層との間の距離よりも大きく、
前記第１層に形成される前記第１電極に印加される電圧は、前記第２層に形成される前記第１電極に印加される電圧よりも大きい、
前記（１）に記載の表示装置。
（３）
観察者を含む画像の解析結果から認識された視点位置に基づいて前記第１電極に印加する電圧が制御されることにより、前記開口部の位置は、前記視点位置をトラッキングする、前記（１）または（２）のいずれかに記載の表示装置。
（４）
短冊状の複数の第１電極と、
前記第１電極と対向して配置される第２電極と、
前記第１電極と前記第２電極との間に配置される液晶層と、
を備え、
前記第１電極は、隣り合う前記第１電極の一部が絶縁層を介して重なり合って配置され、複数の前記第１電極により開口部が形成される、
液晶可変バリア。
【符号の説明】
【００５０】
１０      バリア部
１５      バリア制御部
２０      表示部
２５      表示制御部
３０      制御回路
４０      画像取得部
１０１    第１基板
１０２    第１偏光板
１０３    第１電極
１０４    絶縁層
１０５    第２基板
１０７    第２電極
１０９    液晶層
１１０    第２偏光板
【図１】
0005907758.tif 000002
【図２】
0005907758.tif 000003
【図３】
0005907758.tif 000004
【図４】
0005907758.tif 000005
【図５】
0005907758.tif 000006
【図６Ａ】
0005907758.tif 000007
【図６Ｂ】
0005907758.tif 000008
【図７】
0005907758.tif 000009
【図８Ａ】
0005907758.tif 000010
【図８Ｂ】
0005907758.tif 000011
【図９】
0005907758.tif 000012
【図１０】
0005907758.tif 000013
【図１１】
0005907758.tif 000014
【図１２】
0005907758.tif 000015
【図１３】
0005907758.tif 000016
【図１４】
0005907758.tif 000017
【図１５】
0005907758.tif 000018